(57)【特許請求の範囲】
【請求項１】
被封入体の投入口を封止片で封止するようにした封筒において、
第１シート部、第２シート部及び第３シート部から構成され、第１シート部の上端縁には封止片が一体的に形成され、
第１シート部と第２シート部及び第２シート部と第３シート部の各々は内部に被封入体が収納される袋状に構成され、第１シート部及び第２シート部の袋状部分の下端縁部分には切取り開封部が設けられ、第２シート部及び第３シート部の袋状部分の下端縁部分は剥離可能に疑似接着され、下端縁部分が剥離され又は切取られることによって両袋状部分が各々開封されるようになっていることを特徴とする封筒。
【請求項２】
被封入体の投入口を封止片で封止するようにした封筒において、
第１シート部、第２シート部及び第３シート部から構成され、第１シート部の上端縁には封止片が一体的に形成され、
第１シート部と第２シート部及び第２シート部と第３シート部の各々は内部に被封入体が収納される袋状に構成され、第２のシート部及び第３のシート部はその上端縁が連続され、左右及び下側の３つの外端縁部分が剥離可能に疑似接着され、
第２のシート部及び第３のシート部の疑似接着部分の直上縁に沿って切取り開封部が形成され、下端縁部分が剥離され又は切取り開封部で切取られることによって袋状部分が開封されるようになっていることを特徴とする封筒。
【発明の詳細な説明】
【技術分野】
【０００１】
この発明は封筒に関し、特に手軽に開封できるとともに、輸送中に被封入体が脱落しないようにした封筒に関する。
【背景技術】
【０００２】
書類や手紙、カードなどを送る場合、封筒がよく利用される。例えば、定型封筒ではほぼ四角形状の上側用紙と下側用紙からなる袋のいずれか１つの端縁に投入口を設け、上側用紙には封止片を一体的に形成し、投入口から書類や手紙を入れた後、封止片が投入口を封止するようにした構造が一般的である。
【０００３】
しかるに、定型封筒では封筒を受取ると、封止片の部位を鋏やナイフで切るか手で破って開封していたが、封入された書類や手紙を誤って破損するおそれがあった。
【０００４】
これに対し、四角形状の上側用紙と下側用紙を接着する際に、投入口以外の部分を剥離可能に疑似接着し、投入口以外の部分から剥離して開封できるようにした封筒が提案されている（特許文献１）。
【０００５】
【特許文献１】特許第３７３１１３７号公報
【発明の開示】
【発明が解決しようとする課題】
【０００６】
しかし、特許文献１記載の封筒では投入口以外の部分を疑似接着しているので、疑似接着した部分が輸送中に何らかの原因で剥離されてしまい、封入した書類等が脱落するおそれがあった。
【０００７】
本発明はかかる問題点に鑑み、容易な開封性能を確保しつつ、重要な被封入体が脱落することのないようにした封筒を提供することを課題とする。
【課題を解決するための手段】
【０００８】
そこで、本発明に係る封筒は、被封入体の投入口を封止片で封止するようにした封筒において、第１シート部、第２シート部及び第３シート部から構成され、第１シート部の上端縁には封止片が一体的に形成され、第１シート部と第２シート部及び第２シート部と第３シート部の各々は内部に被封入体が収納される袋状に構成され、一方の袋状部分の下端縁部分は切取り可能に設けられ、他方の下端縁部分は剥離可能又は切取り可能に設けられており、下端縁部分が剥離され又は切取られることによって両袋状部分が各々開封されるようになっていることを特徴とする。
【０００９】
本発明の特徴の１つは２つの袋状部分を構成し、２つのうちの一方の袋状部分の下端縁部分は切り取って開封し、他方の袋状部分の下端縁部分は剥離し又は切り取って開封するようにした点にある。
【００１０】
これにより、重要な被封入体は切取りによって開封される袋状部分に収納すれば、下端縁部分が切り取られることがない限り、輸送中の衝撃などによって被封入体が脱落することはなく、手紙や書類、カード等の貴重品を安全かつ確実に輸送できる。
【００１１】
他方、迅速な開封を必要とする被封入体の場合には剥離によって開封される袋状部分を設け、この袋状部分に封入すれば、迅速に開封して被封入体を容易に取り出すことができる。
【００１２】
例えば、第１シート部及び第２シート部の袋状部分の下端縁部分には切取り開封部を設け、第２シート部及び第３シート部の袋状部分の下端縁部分は剥離可能に疑似接着するように構成することができる。
【００１３】
また、第１シート部及び第２シート部の袋状部分の下端縁部分には切取り開封部を設け、第２シート部及び第３シート部の袋状部分の下端縁部分も切取り開封部を設けるように構成することができる。
【００１４】
第１シート部と第２シート部は２枚のシートの必要な端縁を接着することによって袋状にしてもよいが、第１、第２のシート部の下端縁を連続させ、折り重ねて左右の端縁を接着して袋状に製作してもよい。即ち、第１のシート部及び第２のシート部の下端縁を連続させ、左右及び下側の３つの外端縁部分を接着するとともに、接着部分の直上縁に沿って切取り開封部を形成することができる。
【００１５】
この場合の接着剤は剥離不可能な接着剤でもよいが、剥離可能な接着剤を用いると、第１、第２のシート部を展開して内部の印字・印刷部分を見ることができ、ダイレクトメールとしての機能を向上できる。
【００１６】
第２のシート部及び第３のシート部は２枚のシートの必要な端縁を接着することによって袋状にしてもよいが、第２、第３のシート部の上端縁を連続させ、折り重ねて左右の端縁を疑似接着剤によって疑似接着して袋状に製作してもよい。
【００１７】
この場合、第２のシート部及び第３のシート部の疑似接着部分の直上縁に沿って切取り開封部を形成することもできる。
【００１８】
ところで、切取り開封部で開封する場合、切取り開封部で切りとるときに被封入体が破損するおそれがある。そこで、第１シート部及び第２シート部の袋状部分の下端縁部分と第２シート部及び第３シート部の袋状部分の下端縁部分を接着又は疑似接着するとともに、この接着部分又は疑似接着部分の上縁に沿って切取り開封部を形成するようにすると、開封時に被封入体が誤って破損するおそれを解消できる。
【００１９】
第１、第２、第３のシート部の材質は特に限定されず、合成樹脂材料、合成紙、紙、合成樹脂フィルムをラミネートした合成紙や紙等を用いることができる。
【００２０】
切取り開封部はマイクロミシン目、ミシン目あるいはハーフカットで構成し、切り取るようにしてもよく、又第１、第２のシート部の切取り開封箇所に糸を埋設しておき、糸を引っ張って切り取るようにしてもよい。
【００２１】
擬似接着は例えば接着強度を調製した接着剤を用い、接着部位を剥離できるようにすることによって実現できる。
【００２２】
また、ユーザが本発明の封筒を利用する場合、封止片が開放され、第３シート部が第２シート部に対して疑似接着されていない構造のものをユーザに提供し、ユーザが第３シート部を第２シート部に疑似接着し、封止片で投入口を封止するようにすればよい。
【発明を実施するための最良の形態】
【００２３】
以下、本発明を図面に示す具体例に基づいて詳細に説明する。図１ないし図４は本発明に係る封筒の好ましい実施形態を示す。本例の封筒１０は相互に連続する第１、第２、第３のシート部１１、１２、１３から構成され、第１シート部１１の上端縁には封止片１４が連続して構成されている。
【００２４】
第１シート部１１及び第２シート部１２は左右の両端縁及び下端縁の部分が剥離可能な接着剤１６によって内部に被封入体が収納される袋状に構成されるとともに、下側部分にはミシン目（切取り開封部）１５が疑似接着部分の直上縁に沿って設けられ、ミシン目１５で切り取られることにより被封入体が取出し可能となっている。
【００２５】
第２シート部１２と第３シート部１３は左右の両端縁及び下端縁の部分が剥離可能な接着剤１７によって内部に被封入体が収納される袋状に構成されるとともに、下側の外縁の疑似接着部分から剥離することによって被封入体が取出し可能となっている。
【００２６】
なお、輸送中の衝撃等によって第１、第２、第３のシート部１１、１２、１３の接着部分が剥離して被封入体から脱落しないように、疑似接着剤１６、１７は剥離可能ではあるが十分な接着強度を有するように調整しておくのが好ましい。
【００２７】
本例の封筒１０を製作する場合、原紙から用紙を打ち抜く。用紙に３本の折り罫２０〜２２を相互に平行に入れ、第１、第２、第３のシート部１１、１２、１３及び封止片１４を構成する。
【００２８】
第１、第２のシート部１１、１２の裏面の左右の両端縁及び下端縁には剥離可能な接着剤１６を帯状に塗布するとともに、第２、第３のシート部１２、１３の表面の左右両端縁及び下端縁には剥離可能な接着剤１７を帯状に塗布する。接着剤１６、１７は原紙に予め塗布しておいてもよく、原紙から切断した後の用紙に塗布するようにしてもよい。
【００２９】
第１、第２、第３のシート部１１、１２、１３を折り罫２０〜２２で折り曲げ、接着剤１６で第１、第２のシート部１１、１２の左右両端縁及び下端縁の部分を帯状にかつ剥離可能に疑似接着して袋状部分を構成するとともに、接着剤１７によって第２、第３のシート部１２、１３の左右両端縁及び下端縁の部分を帯状にかつ剥離可能に疑似接着して袋状部分を構成する。
【００３０】
また、第１、第２のシート部１１、１２の下側部分には疑似接着部分の直上縁に沿ってミシン目１５を入れる。このミシン目１５は原紙から用紙を打ち抜くときに入れてもよく、折り罫２０〜２２を入れるときに入れてもよく、封筒１０を組み立てて接着した後に入れることもできる。
【００３１】
カードや手紙等の重要なものは第１、第２のシート部１１、１２の袋状部分に入れ、あまり重要でないものは第２、第３のシート部１２、１３の袋状部分に入れる。本例では１枚の用紙を折り曲げて封筒１０を作製しているので、第２、第３のシート部１２、１３の袋状部分には投入口がなく、第２、第３のシート部１２、１３を折り重ねてその間に被封入体を入れた後、疑似接着する。
【００３２】
また、第１、第２のシート部１１、１２の袋状部分は上端縁が開放されて投入口となっているので、投入口から内部に被封入体を入れた後、封止片１４で投入口を封止する。
【００３３】
本例の封筒１０を受取った場合、図２に示されるように、第３シート部１３の下端縁コーナー部分から剥離すると、封止片１４を切り取ったり破ったりして開封することなく、第２、第３のシート部１２、１３の袋状部分を迅速に開封して被封入体を取り出すことができる。
【００３４】
また、ミシン目１５を切り取ると、封止片１４を開封することなく、第１、第２のシート部１１、１２の袋状部分を開封することができる。この場合、第１、第２のシート部１１、１２の下端縁部分がミシン目１５の下側で接着剤１６で接着され、被封入体の下端縁の位置がミシン目１５よりも上方になっているので、ミシン目１５で開封するときに、誤って被封入体が破れるおそれがない。
【００３５】
上記では１枚の用紙を折り曲げて第１、第２、第３のシート部１１、１２、１３及び封止片１４を構成したが、図５に示されるように、第１、第２、第３のシート部１１’、１２’、１３’を別々に製作し、必要な箇所に接着剤１６’、１７’を塗布し相互に重ねて接着又は疑似接着して封筒を製作することもできる。この場合、第２、第３のシート部１２’、１３’の上端縁は第１の実施形態と同様に封止してもよいが、図５に示されるように接着剤１７’を塗布すると、投入口を形成することもできる。
【００３６】
図６及び図７は第３の実施形態を示し、図において図１ないし図５と同一符号は同一又は相当部分を示す。但し、符号に”を付して第１、第２の実施形態と区別している。本例の封筒１０”は第１、第２、第３のシート部１１”、１２”、１３”の２つの袋状部分が下端のミシン目１５”（切取り開封部）で同時に切り取って開封可能となっている点で第１の実施形態の封筒１０と異なっている。
【００３７】
本例の封筒１０”を製作する場合、原紙から用紙を打ち抜く。用紙に３本の折り罫２０”〜２２”を相互に平行に入れ、第１、第２、第３のシート部１１”、１２”、１３”及び封止片１４”を構成する。第１、第２、第３のシート部１１”、１２”、１３”は同一の高さとする。
【００３８】
第１、第２のシート部１１”、１２”の裏面の左右の両端縁及び下端縁には剥離可能な接着剤１６”を帯状に塗布するとともに、第２、第３のシート部１２”、１３”の表面の左右両端縁及び下端縁には剥離可能な接着剤１７”を帯状に塗布する。接着剤１６”、１７”は原紙に予め塗布しておいてもよく、原紙から切断した後の用紙に塗布するようにしてもよい。
【００３９】
第１、第２、第３のシート部１１”、１２”、１３”を折り罫２０”〜２２”で折り曲げ、接着剤１６”で第１、第２のシート部１１”、１２”の左右両端縁及び下端縁の部分を帯状にかつ剥離可能に疑似接着して袋状部分を構成するとともに、接着剤１７”によって第２、第３のシート部１２”、１３”の左右両端縁及び下端縁の部分を帯状にかつ剥離可能に疑似接着して袋状部分を構成する。
【００４０】
また、第１、第２、第３のシート部１１”、１２”、１３”の下側部分には疑似接着部分の直上縁に沿ってミシン目１５" を入れる。このミシン目１５" は原紙から用紙を打ち抜くときに入れてもよく、折り罫２０”〜２２”を入れるときに入れてもよく、封筒１０”を組み立てて接着した後に入れることもできる。
【００４１】
カードや手紙等は第１、第２のシート部１１”、１２”の袋状部分又は第２、第３のシート部１２”、１３”の袋状部分に入れる。本例では１枚の用紙を折り曲げて封筒１０”を作製しているので、第２、第３のシート部１２”、１３”の袋状部分には投入口がなく、第２、第３のシート部１２”、１３”を折り重ねてその間に被封入体を入れた後、疑似接着する。
【００４２】
また、第１、第２のシート部１１”、１２”の袋状部分は上端縁が開放されて投入口となっているので、投入口から内部に被封入体を入れた後、封止片１４”で投入口を封止する。
【００４３】
本例の封筒１０”を受取った場合、図６に示されるように、第１、第２、第３のシート部１１”、１２”、１３”のミシン目１５”で切り取ると、封止片１４”を切り取ったり破ったりして開封することなく、第１、第２、第３のシート部１１”、１２”、１３”の２つの袋状部分を迅速に開封して被封入体を取り出すことができる。
【００４４】
この場合、第１、第２、第３のシート部１１”、１２”、１３”の下端縁部分がミシン目１５”の下側で接着剤１６”、１７”で接着され、被封入体の下端縁の位置がミシン目１５”よりも上方になっているので、ミシン目１５”で開封するときに、誤って被封入体が破れるおそれがない。
【図面の簡単な説明】
【００４５】
【図１】本発明に係る封筒の好ましい実施形態を示す概略斜視図である。
【図２】上記実施形態における第２、第３のシート部の袋状部分を開封した状態を示す図である。
【図３】上記実施形態における第１、第２のシート部の袋状部分を開封した状態を示す図である。
【図４】上記実施形態における組み立て前の用紙の裏面(a) 及び表面(b) を示す図である。
【図５】第２の実施形態を示す図である。
【図６】第３の実施形態におけるミシン目１５”で開封した状態を示す図である。
【図７】上記実施形態における組み立て前の用紙の裏面(a) 及び表面(b) を示す図である。
【符号の説明】
【００４６】
１０、１０’、１０”      封筒
１１、１１’、１１”      第１シート部
１２、１２’、１２”      第２シート部
１３、１３’、１３”      第３シート部
１４、１４”      封止片
１５、１５”      ミシン目（切取り開封部）
１６、１６”      疑似接着剤            １７、１７”      疑似接着剤
【図１】
0005121359.tif 000002
【図２】
0005121359.tif 000003
【図３】
0005121359.tif 000004
【図４】
0005121359.tif 000005
【図５】
0005121359.tif 000006
【図６】
0005121359.tif 000007
【図７】
0005121359.tif 000008